(57)【要約】【課題】詰め替え用容器を逆さまにしながらスパウトを受け容器の注出口の内側に挿入したときに、スパウトの傾きを抑えるようにし、タンパーエビデンス性を備えた詰め替え用容器にて受け容器への収容物の詰め替えが安全に行えるようにする。【解決手段】キャップ４を、環状で外径がネックリング５と同径のタンパーエビデンスベルト１０と、インナーリング１６と摘み１７を有する天面板１１とからなるものとし、天面板１１は、ネックリング５と離間したタンパーエビデンスベルト１０に薄肉部２１を介して連接され、天面板１１を引き上げるときに、薄肉部２１の破断で天面板１１が取り外しでき、環状のタンパーエビデンスベルト１０が降下できるようにした。【選択図】図１
2018111500.tif 000002
【特許請求の範囲】
【請求項１】
筒外周にネックリングが設けられている注出筒と容器本体に取り付けられているフランジとが一体のスパウトと、このスパウトの注出筒の上部に被せ付けして前記ネックリングの上方に設けられた係合突条に係止する打栓式のキャップとを有する容器において、
前記キャップは、前記注出筒の外周まわりに対応するように環状に連続して外径が前記ネックリングと同径とされ、内面に注出筒の前記係止突条に係止する係止爪を有しているタンパーエビデンスベルトと、下面に前記注出筒の内周面に接するインナーリングを備え、前記タンパーエビデンスベルトに対応位置する摘みを有する天面板とからなり、
前記天面板は、前記ネックリングから上方に離間した位置にあるタンパーエビデンスベルトに破断容易な薄肉部を介して連接されていて、
前記摘みを持った天面板の引き上げをしたときに前記薄肉部が破断して、薄肉部の前記破断により天面板が注出筒から取り外し可能とされ、天面板の前記取り外しによりタンパーエビデンスベルトがネックリングに当接する位置まで降下可能な構成を有することを特徴とする詰め替え用容器。
【請求項２】
上記薄肉部の少なくとも一部分が、上記天面板の外周辺に沿って外方から目視可能なキャップ外表面に表出した位置にあり、取り外し後に再度注出筒の上部に配された天面板側の薄肉部破断辺と上記降下したタンパーエビデンスベルト側の薄肉部破断辺との離間が目視可能とされている請求項１に記載の詰め替え用容器。
【発明の詳細な説明】
【技術分野】
【０００１】
本発明は、詰め替え用の容器であって、故意にキャップを開くことを抑止するタンパーエビデンス性を備えるとともに、受け容器の注出口にスパウトの部分を差し入れて収容物を移し入れる倒立の状態が安定し易くなるようにした詰め替え用容器に関するものである。
【背景技術】
【０００２】
従来からシャンプーやリンスなどのトイレタリー製品、食用油や液体調味料などの液体製品、工業油に代表されるような工業用液体製品、さらには薬液などの各種液体製品では、ブロー成形されたボトル状型の容器に収容した商品形態とする他に、詰め替え用として、柔軟なシートを貼り合わせたパウチタイプの容器本体に合成樹脂製の注出口を取り付けた容器に収容した商品形態にして販売することも多く行われている。
【０００３】
例えば、特許文献１に示されているように、容器本体の天面でのシート部分に、合成樹脂製であってフランジ部とノズル部とからなり、ノズル部外周のねじにスクリューキャップをねじ付けるスパウトを取り付けた容器が示されている。
【０００４】
そしてスパウトからスクリューキャップを取り外し、スパウトを受け容器の注出口の中に差し込むように容器全体を倒立させて、収容物を受け容器側に詰め替えるようにする容器であり、スパウトを受け容器の注出口に差し入れた際に、受け容器の注出口の上部がスパウトのフランジの取付部分を受けることができるようにして、倒立の状態が安定するようにした点が示されている。
【先行技術文献】
【特許文献】
【０００５】
【特許文献１】特開２０１６−００３０５５号公報
【発明の概要】
【発明が解決しようとする課題】
【０００６】
（スパウト傾きの抑えの検討）
特許文献１の容器は詰め替え用としているものであり、倒立した状態で収容物（例えば液体）がある程度、スピーディに受け容器へ流れ落ちるように、上記ノズル部とされている注出筒の内径が大きいスパウトを用いており、この特許文献１に示されているようにスクリューキャップをねじ付けるために、その内径の大きい注出筒の外周に外ねじを設けている。
【０００７】
また、注出筒が太いタイプのスパウトでは、スパウトと容器本体との取り付けに際してそのスパウトを搬送するためのものとして、またこの詰め替え用の容器に収容物を充填するときにスパウトを充填ノズルに対応付けするため、さらにキャッピングの際にスパウト自体を保持するためのものとして、注出筒の中央位の高さ位置とフランジの近傍となる高さ位置とのそれぞれに外方に張り出るネックリングが一体にして設けられている。
【０００８】
特許文献１の容器では、注出筒が太いスパウトを受け容器の注出口の内部に入れ、受け容器側の注出口の上部を前記スパウトのフランジを取り付けている部分に当てるようにすることから、上記ネックリングも受け容器の注出口の内側に入れるようにする。
【０００９】
しかし、キャップを取り外した状態の注出筒の外周に表われる外ねじは、外方に大きく張り出るほどのねじ山を形成するものではない。よって、受け容器の注出口の内面とこの注出口に挿入したスパウトの注出筒との隙間が大きく、注出口の内側でスパウトが大きく傾き易い。
【００１０】
このことから、スパウトの注出筒を受け容器の注出口に挿入したときのスパウトの傾きが大きくならないようにするために、注出筒の周りに、スパウトが傾かないようにする仕組みを備えることが望ましい。
【００１１】
（タンパーエビデンス性確保の検討）
一方、上述した詰め替え用として各種の液体製品も、ホームセンター、スーパーマーケット、コンビニエンスストアなどの一般店舗で店頭販売される商品となることから、この液体製品を収容する詰め替え用の容器においても、いらずらなどを抑止するタンパーエビデンス性を備えるようにすることが好ましく、上述のスパウトの傾きの防止を図りながら、タンパーエビデンス性を確保することが検討されるようになってきている。
【００１２】
そこで５００ｍｌや３５０ｍｌの飲料ＰＥＴボトルなどで実施されているタンパーエビデンスリングを用いる工夫が考えられる。つまり一般的な飲料ＰＥＴボトルではボトルの注出口にねじ付けるキャップにタンパーエビデンスリングを連続させていて、開封の際、キャップの回転操作をしたときにタンパーエビデンスリングが注出口の係合突条に係止してキャップから分離して降下し、再封したキャップとタンパーエビデンスリングとの間に隙間が生じるようにしているものである。
【００１３】
上記詰め替え用容器でタンパーエビデンス性を付与しようとする場合、そのキャップの製造に際して、飲料ＰＥＴボトルなどのようなタンパーエビデンスリングを連続させて成形しておき、受け容器の注出口の外ねじの下位に形成した突条にそのタンパーエビデンスリングが係合する構成とすればよい。
【００１４】
そして開封後に注出筒の外周に残るタンパーエビデンスリングを、倒立状態で受け容器の注出口の内側に挿入した注出筒が傾くのを抑える部材として利用することが考えられる。
【００１５】
しかし、スクリュー式のキャップに連接のタンパーエビデンスリングは、高さ寸法がそれ程大きくすることができず、開封後、そのタンパーエビデンスリングがネックリングと係合突条との間に位置している状態では、受け容器の注出口に逆さまにして入れたスパウトの注出筒の周りの隙間はそれほど減少するものとはならず、スパウトの傾きを抑えるほどの効果は期待できない。
【００１６】
（検討例）
本発明者は、詰め替え用の容器のスパウトにスクリュー式のキャップではなく、打栓式の蓋部材を被せ付けて注出筒を閉じるようにするとともに、注出筒の上記傾きを抑える部材をその蓋部材に一体的に設けるようにすることを検討した。
【００１７】
図１５は検討例１である詰め替え用容器１を示している。この詰め替え用容器１は、例えば柔軟なシートを貼り合わせたパウチタイプの容器本体２の天面シートに合成樹脂製のスパウト３を溶着固定し、上方から打栓式のキャップ４がスパウト３に取り付けられている。
【００１８】
（スパウト）
スパウト３は筒外周にネックリング５が設けられている注出筒６の下端に外方に張り出るフランジ７が一体にして成形されていて、フランジ７は上方から見た平面形状が略四角形状となるように設けられている。フランジ７は上述のように容器本体２の天面シートに溶着する部分である。また、この検討例１では、注出筒６の中段となる高さ位置とされたネックリング５とフランジ７との間にしてサブネックリング８が設けられているとともに、打栓式のキャップ４が係合できるようにするための係合突条９が、ネックリング５の上方にして注出筒６の上面開口側の筒外周に設けられている。
【００１９】
（キャップ）
上記注出筒６の上部に被せ付けして係合突条９に係止するキャップ４は、注出筒６の外周まわりに対応する略Ｃ字状にして係合突条９を覆う位置とされたタンパーエビデンスベルト１０と、注出筒６の上面開口を覆う天面板１１とが一体にして成形されている合成樹脂製の部材である。
【００２０】
（タンパーエビデンスベルト）
そして、タンパーエビデンスベルト１０は、上記係合突条９に係合する係止爪１２を、このタンパーエビデンスベルト１０の内面にしてタンパーエビデンスベルト１０の長さ方向に亘って設けている。またタンパーエビデンスベルト１０は、高さ方向に、天面板１１と連接しているときの注出筒上縁に対応する高さ位置の部分を上辺１３とし、この上辺１３からネックリング５側にある程度の幅を持った帯状とされており、下辺１４がネックリング５との間で隙間１５を形成されるようにタンパーエビデンスベルト１０の高さ寸法が設定されている。
【００２１】
タンパーエビデンスベルト１０は注出筒６を締め付けるものではなく、例えば係止爪１２が、注出筒６の外周面と摺接可能に接するか、或いは注出筒６の外周面との間で僅かな隙間が存在していて、天面板１１から離れたタンパーエビデンスベルト１０が単体の状態では上下の方向に移動可能であり、係止爪１２が下方から係合突起９に係止すれば上方への抜けが防止されるとともに、単体の状態でネックリング５に当接する位置まで降下することができる。（図１６参照）
【００２２】
さらにタンパーエビデンスベルト１０の外周側の形状がネックリング５の外径と一致する円弧となる形状とされており、ネックリング５の外径と一致する円弧の形状を呈するタンパーエビデンスベルト１０は、その上辺１３が注出筒６の上縁に揃う位置から、下辺１４がネックリング５に当接する範囲で移動できるようにしている。
【００２３】
（天面板）
上記天面板１１は、下面に注出筒６の内周面に接するインナーリング１６（シールリング）が下垂するようにして一体に備えているとともに、この天面板１１を注出筒６の上方へと引き上げて注出筒６の上面開口から外し易くするための摘み１７を一体に備えている。前記摘み１７は図示されているように天面板１１の外周辺１８の一部を、ネックリング５に当接しない範囲でそのネックリング５に近接する位置まで下垂するようにして、タンパーエビデンスベルト１０を略Ｃ字状とすることで相対するタンパーエビデンスベルト１０の側端辺１９の間を通るように延長してなるもので、閉断面の形状を円弧状にしてタンパーエビデンスベルト１０と揃えている。
【００２４】
（薄肉部）
そして天面板１１の円板部分の外周辺１８から摘み１７のタンパーエビデンスベルト１０に相対する部分での側辺２０に亘る範囲が、ネックリング５から上方に離間した状態のタンパーエビデンスベルト１０の上辺１３と側端辺１９とに破断容易な薄肉部２１を介して連接されている。
【００２５】
このようにキャップ４では、タンパーエビデンスベルト１０と天面板１１とが薄肉部２１を介して連接されていて、天面板１１が、注出筒６の上面開口を覆う位置にあることでタンパーエビデンスベルト１０の下方への移動が生じないように支持し、また天面板１１が上方に移動しかけても、タンパーエビデンスベルト１０の上記係止爪１２が係合突条９に係止して、インナーリング１６による水密が切れないように図られている。
【００２６】
（天面板とタンパーエビデンスベルトの分離）
検討例１において、開封に際しては、摘み１７を持って天面板１１を引き上げをするものであり、この引き上げで上記薄肉部２１が破断する。そして薄肉部２１が破断することで天面板１１が注出筒６の上面開口から取り外し可能となる。また、タンパーエビデンスベルト１０はネックリング５に当接する位置まで降下することが可能な状態となる。そして再封に際しては、インナーリング１６を注出筒６の上面開口に入れるようにして天面板１１を注出筒６の上部に被せる。
【００２７】
（タンパーエビデンス性）
上述したように天面板１１の外周辺１８に沿って薄肉部２１が設けられていて、外方から目視可能なキャップ外表面に表出した位置にある。そのため、いたずらとしてキャップ４を上述のように開封したのちに天面板１１を注出筒６の上面開口を覆うように被せたとしても、天面板１１の外周辺１８の位置に沿って生じる薄肉部破断辺（例えば図３の薄肉部破断辺２２参照）と、タンパーエビデンスベルト１０の上辺１３の位置に沿って生じる薄肉部破断辺（例えば図３の薄肉部破断辺２３参照）との間が開いてしまう。
【００２８】
これによって天面板１１を摘み１７を持って引き上げようとする者にとっては、薄肉部２１の位置で天面板の薄肉部破断辺とタンパーエビデンスベルトの薄肉部破断辺とが生じることが簡単に推測でき、いたずらを防止する効果が期待できる。
【００２９】
（スパウトの傾き防止について）
また受け容器の注出口に、逆さまにした詰め替え用容器１のスパウト３を挿入したときには、ネックリング５の外径と同じ円弧状となるタンパーエビデンスベルト１０が注出筒６の外周まわりであって、フランジ７側に移動することなく上面開口側に位置することから、このタンパーエビデンスベルト１０が受け容器の注出口の内面に当接すれば、スパウト３が傾くことを防止できる。
【００３０】
しかしながら、天面板１１を取り外した後ではタンバーエビデンスベルト１０は側端辺１９の間が開いた状態となることから、タンパーエビデンスベルト１０が注出筒６から外れる可能性があり、受け容器の注出口に挿入したスパウト３の注出筒６からタンパーエビデンスベルト１０が外れることは避けなけばならない。
【００３１】
そこで本発明は上記事情に鑑み、詰め替え用容器を逆さまにしながらスパウトを受け容器の注出口の内側に挿入したときに、スパウトの傾きを抑えることを課題とし、タンパーエビデンス性を備えた詰め替え用容器にて受け容器への収容物の詰め替えが安全に行えるようにすることを目的とするものである。
【課題を解決するための手段】
【００３２】
（請求項１の発明）
本発明は上記課題を考慮してなされたもので、筒外周にネックリングが設けられている注出筒と容器本体に取り付けられているフランジとが一体のスパウトと、このスパウトの注出筒の上部に被せ付けして前記ネックリングの上方に設けられた係合突条に係止する打栓式のキャップとを有する容器において、
前記キャップは、前記注出筒の外周まわりに対応するように環状に連続して外径が前記ネックリングと同径とされ、内面に注出筒の前記係止突条に係止する係止爪を有しているタンパーエビデンスベルトと、下面に前記注出筒の内周面に接するインナーリングを備え、前記タンパーエビデンスベルトに対応位置する摘みを有する天面板とからなり、
前記天面板は、前記ネックリングから上方に離間した位置にあるタンパーエビデンスベルトに破断容易な薄肉部を介して連接されていて、
前記摘みを持った天面板の引き上げをしたときに前記薄肉部が破断して、薄肉部の前記破断により天面板が注出筒から取り外し可能とされ、天面板の前記取り外しによりタンパーエビデンスベルトがネックリングに当接する位置まで降下可能な構成を有することを特徴とする詰め替え用容器を提供して、上記課題を解消するものである。
【００３３】
（請求項２の発明）
そして本発明は、上記薄肉部の少なくとも一部分が、上記天面板の外周辺に沿って外方から目視可能なキャップ外表面に表出した位置にあり、取り外し後に再度注出筒の上部に配された天面板側の薄肉部破断辺と上記降下したタンパーエビデンスベルト側の薄肉部破断辺との離間が目視可能とされていることが良好である。
【発明の効果】
【００３４】
（請求項１の発明の効果）
請求項１の発明によれば、天面板を取り外すことで、環状に連続したタンバーエビデンスベルトが降下するようになり、天面板を再び注出口に被せ付けたときにその天面板とタンパーエビデンスベルトとが分離していることが容易に確認できるようになる。そのため、開封済みであることの確認が容易になるとともに、不正に天面板を引き上げるいたずらを抑止することができる。
【００３５】
また、開封に際して天面板を取り外すときに摘み持つ摘みがタンパーエビデンスベルトに対応位置しているので、摘みを引き上げて薄肉部を分断する裂け目が進む方向を確実に天面板の外周辺に案内でき、天面板のタンパーエビデンスベルトからの分離が天面板の外周辺の位置で適正に行えるようになる。
【００３６】
また、天面板を取り外した後において、ネックリングの外径と同じ外径のタンパーエビデンスベルトが注出筒の外周まわりに位置し、詰め替え用容器を逆さまにしてスパウトを受け容器の注出口に挿入した際、注出筒の外周まわりに位置するタンパーエビデンスベルトが注出口の内面に接触することで注出筒が大きく傾くことを防止するようになる。
【００３７】
よって逆さまにした詰め替え用容器の姿勢が安定して安全に収納物を受け容器へと詰め替えできるようになるという効果を奏するものである。
【００３８】
（請求項２の発明の効果）
請求項２の発明によれば、天面板が取り外し済であるかどうかを目視にて確認する場所を天面板の外周辺とすればよく、その確認が頗る簡単に行えるようになるという効果を奏する。
【図面の簡単な説明】
【００３９】
【図１】本発明に係る詰め替え用容器の第一例を斜視状態で示す説明図である。
【図２】同じく第一例を示すもので、（ａ）はキャップ上方から見た状態を示す説明図、（ｂ）はキャップの摘みを通る径方向での断面で示す説明図、（ｃ）は摘み側から見た状態を一部断面で示す説明図である。
【図３】第一例で天面板を分離した状態を示す説明図である。
【図４】第一例で詰め替え用容器を逆さまにして受け容器に差しれた状態を示す説明図である。
【図５】スパウトにキャップが取り付けられている第二例を斜視状態で示す説明図である。
【図６】第二例を示すもので、（ａ）はキャップ上方から見た状態を示す説明図、（ｂ）はキャップの摘みを通る径方向での断面で示す説明図、（ｃ）は摘み側から見た状態を一部断面で示す説明図である。
【図７】第二例で天面板を分離した状態を示す説明図である。
【図８】スパウトにキャップが取り付けられている第三例を斜視状態で示す説明図である。
【図９】第三例を示すもので、（ａ）はキャップ上方から見た状態を示す説明図、（ｂ）はキャップの摘みを通る径方向での断面で示す説明図、（ｃ）は摘み側から見た状態を一部断面で示す説明図である。
【図１０】第三例で天面板を分離した状態を示す説明図である。
【図１１】スパウトにキャップが取り付けられている第四例を斜視状態で示す説明図である。
【図１２】第四例を示すもので、（ａ）はキャップ上方から見た状態を示す説明図、（ｂ）はキャップの摘みを通る径方向での断面で示す説明図、（ｃ）は摘み側から見た状態を一部断面で示す説明図である。
【図１３】第四例で天面板を分離した状態を示す説明図である。
【図１４】変形例を示すもので、（ａ）はキャップ上方から見た状態を示す説明図、（ｂ）はキャップの摘みを通る径方向での断面で示す説明図、（ｃ）は摘み側から見た状態を一部断面で示す説明図である。
【図１５】検討例を示すもので、（ａ）はキャップ上方から見た状態を示す説明図、（ｂ）はキャップの摘みを通る径方向での断面で示す説明図、（ｃ）は摘み側から見た状態を一部断面で示す説明図である。
【図１６】検討例でのタンパーエビデンスベルトが降下した状態を示す説明図である。
【発明を実施するための形態】
【００４０】
つぎに本発明を図１から図１４に示す実施の形態に基づいて詳細に説明する。なお、図１５に示す検討の技術と構成が重複する部分は同符号を付して説明する。
【００４１】
（第一例）
図１から図６は実施の形態の第一例である詰め替え用容器１を示している。この詰め替え用容器１は、図１に示すように柔軟なシートを貼り合わせたパウチタイプの容器本体２の天面シート２ａに合成樹脂製のスパウト３を溶着固定し、上方から打栓式のキャップ４がスパウト３に取り付けられている。
【００４２】
（スパウト）
上記スパウト３は、円筒状とされていて筒外周にネックリング５が設けられている注出筒６と、この注出筒６の下端に外方に張り出るフランジ７とが一体にして成形されている。
【００４３】
フランジ７は縦断面形状が薄板状とされ、上方から見た平面形状が略四角形状となるように設けられており、このフランジ７の部分は、容器本体２の天面シートに溶着する部分である。また、注出筒６にあっては、中段となる高さ位置にネックリング５があり、このネックリング５と前記フランジ７との間に、外径がネックリング５の外径と同一にしたサブネックリング８が設けられ、さらに図３と図４に示すように打栓式のキャップ４が係合できるようにするための係合突条９が、前記ネックリング５の上方にして注出筒６の上面開口側の筒外周に設けられている。
【００４４】
（キャップ）
上記キャップ４は、図３と図４とに示されているように注出筒６の上部に被せ付けして上記係合突条９に係止するものである。そしてこのキャップ４は、注出筒６の外周まわりに対応するように環状に連続して係合突条９を覆う位置とされたタンパーエビデンスベルト１０と、注出筒６の上面開口を覆う天面板１１とが一体にして成形されている合成樹脂製の部材である。
【００４５】
（タンパーエビデンスベルト）
キャップ４のタンパーエビデンスベルト１０は、係合突条９に係合する係止爪１２を、このタンパーエビデンスベルト１０の内面にしてタンパーエビデンスベルト１０の長さ方向に亘って設けている。またタンパーエビデンスベルト１０は注出筒６の外周を廻る帯状のものであり、高さ方向（キャップ上下方向）に、上記天面板１１と連接しているときの注出筒上縁に対応する高さ位置の部分を上辺１３にして、この上辺１３からネックリング５側にある程度の幅を持った帯状とされており、下辺１４がネックリング５に対して離間する位置にあって、ネックリング５との間で隙間１５を形成されるようにタンパーエビデンスベルト１０の高さ寸法が設定されている。
【００４６】
タンパーエビデンスベルト１０は注出筒６を締め付けるものではなく、このタンバーエビデンスベルト１０単体において上下方向に移動可能となるように成形されている。例えば上記係止爪１２が、注出筒６の外周面と摺接可能に接するか、或いは注出筒６の外周面との間で僅かな隙間が存在している。これによって天面板１１から離れた場合、タンパーエビデンスベルト１０が単体の状態では上下の方向に移動可能であり、係止爪１２が下方から係合突起９に係止すれば上方への抜けが防止されるとともに、単体の状態でネックリング５に当接する位置まで降下することができる。
【００４７】
（タンパーエビデンスベルトの円環部）
さらにタンパーエビデンスベルト１０の外周側がネックリング５の外径と一致する円環部１０ａを有する形状とされていて、その円環部１０ａはタンバーエビデンスベルト１０での下辺１４にあり、円環部１０ａが注出筒６の周囲を廻るものとなっていることから、タンパーエビデンスベルト１０が単体となった状態であってもこのタンパーエビデンスベルト１０が注出筒６からは外れない。
【００４８】
よって外径がネックリング５の外径と一致する円環部１０ａを有したタンパーエビデンスベルト１０は、単体となった状態では上述したように外れることなく適正に上辺１３が注出筒６の上縁に揃う位置から、下辺１４がネックリング５に当接する範囲で移動できるようにしている。
【００４９】
（天面板）
天面板１１の本体部分は注出筒６の上面開口を覆うことができるように円板状とされている。そしてその円板状とされた本体部分の下面に、図３に示すように注出筒６の内周面に接するインナーリング１６（シールリング）が下垂するようにして一体に備えている。また天面板１１は、天面板自体を注出筒６の上方へと引き上げて注出筒６の上面開口から外し易くするための摘み１７を一体に備えている。
【００５０】
（摘み）
上記摘み１７は、図１と図３に示されているように天面板１１の外周辺１８の一部を下方に向けて延設された下垂片部２４と、この下垂片部２４の下端から跳ね上がるように上方に向けて連続するとともに外方面に滑り止めとしての凹凸面を配した摘み片部２５とからなるものである。
【００５１】
そして、上記摘み１７において、上記下垂片部２４は、図２に示されているように上記タンパーエビデンスベルト１０の平断面の環状形状の延長領域中に配されているとともに、側方から見たときの形状を下に凸の略三角形状を呈するように形成されている。この下垂片部２４自体は、タンバーエビデンスベルト１０の下辺１４の手前の高さ位置まで延設され、下垂片部２４より下位の部分を上記円環部１０ａと相対するように設けられている。
【００５２】
即ち、タンパーエビデンスベルト１０には、摘み１７がこのタンパーエビデンスベルト１０を分断しない配置にして円環部１０ａが残るようにしながら、摘み１７の一部分（この例においては下垂片部２４）が配置される下方に凸の凹み形状とされた摘み対応部２６がある。
【００５３】
このように第一例の摘み１７にあっては、天面板１１の本体部分の外周辺１８の一部に連続して下方に延設された三角形状の下垂片部２４とこの下垂片部２４の下端に連続して跳ね上がる形状とされた摘み片部２５とからなり、摘みの一部である前記下垂片部２４がタンバーエビデンスベルト１０の環状形状が連続する領域中に配されていて、後述するように下垂片部２４の部分がタンバーエビデンスベルト１０と連続し、また摘み１７を持ち上げたときにこの下垂片部２４がタンバーエビデンスベルト１０から分離するように設けられている。
【００５４】
（薄肉部）
天面板１１の円板状の部分の外周辺１８とタンパーエビデンスベルト１０の上辺１３との間に破断容易な薄肉部２１が設けられているとともに、天面板１１の外周辺１８に連続する摘み１７の下垂片部２４の外側辺２７とタンパーエビデンスベルト１０の上記摘み対応部２６の外側辺２８との間にも破断容易な薄肉部２１が設けられており、天面板１１の円板状の部分側の薄肉部２１と摘み１７側の薄肉部２１とは連続している。
【００５５】
このように天面板１１の円板状の部分とタンバーエビデンスベルト１０との間に薄肉部２１を設け、天面板１１の摘み１７の下垂片部２４とタンパーエビデンスベルト１０との間でも薄肉部２１を設けていて、天面板１１と、ネックリング５から上方に離間した状態にあるときのタンパーエビデンスベルト１０とが上記破断容易な薄肉部２１を介して連接されている。
【００５６】
上述したようにキャップ４では、タンパーエビデンスベルト１０と天面板１１とが薄肉部２１を介して連接されていて、天面板１１が、注出筒６の上面開口を覆う位置にあることでタンパーエビデンスベルト１０の下方への移動が生じないように支持し、また天面板１１が上方に移動仕掛けても、タンパーエビデンスベルト１０の上記係止爪１２が係合突条９に係止して、インナーリング１６による水密が切れないように図られている。
【００５７】
（天面板とタンパーエビデンスベルトの分離）
図３に示されているように、開封に際しては、摘み１７を持って天面板１１を引き上げをするものであり、この引き上げで薄肉部２１が破断する。そして薄肉部２１が破断することで天面板１１が注出筒６の上面開口から取り外し可能となる。また、タンパーエビデンスベルト１０はネックリング５に当接する位置まで降下することが可能な状態となる。そして再封に際しては、インナーリング１６を注出筒６の上面開口に入れるようにして天面板１１を注出筒６の上部に被せる。
【００５８】
（タンパーエビデンス性）
上述したように天面板１１の外周辺１８および摘み１７の下垂片部２４の外側辺２７に沿って薄肉部２１が設けられていて、外方から目視可能なキャップ外表面に表出した位置にある。そのため、いたずらとしてキャップ４を上述のように開封したのちに天面板１１を注出筒６の上面開口を覆うように被せたとしても、天面板１１の外周辺１８および摘み１７の下垂片部２４の外側辺２７の位置に沿って生じる薄肉部破断辺２２と、タンパーエビデンスベルト１０の上辺１３および摘み対応部２６の外側辺２８の位置に沿って生じる薄肉部破断辺２３との間が開いてしまう。
【００５９】
これによって天面板１１を摘み１７を持って引き上げようとする者にとっては、薄肉部２１の位置で上記薄肉部破断辺２２と２３とが生じることが簡単に推測でき、いたずらを防止する効果が期待できる。
【００６０】
（スパウトの傾き防止について）
図４に示すように受け容器Ａの注出口Ｂに、逆さまにした詰め替え用容器１のスパウト３を挿入したときには、外径がネックリング５の外径と同じ環状のタンパーエビデンスベルト１０が注出筒６の外周まわりにあって注出筒６から脱落することもないので、このタンパーエビデンスベルト１０が受け容器の注出口の内面に当接すれば、スパウト３が傾いたり詰め替え用容器１が逆さまの状態から倒れたりすることを簡単に防止でき、逆さまにした詰め替え用容器１の姿勢を安定させることができる。
【００６１】
（第二例）
上記第一例において摘み１７を、天面板１１の外周辺１８の一部から下垂する下垂片部２４とこの下垂片部２４の下端部から跳ね上がるように上方に向けて延設された摘み片部２５とからなるものとして説明したが、摘み１７は第一例に限定されるものではなく、図５から図７に示す第二例のように摘み易さを考慮して各種の変形が可能である。
【００６２】
この第二例にあっては下垂片部２４の下端部の外面に下方に向けて下がるリング状の摘み片部２５を連接している。そして摘み片部２５自体にあっては二つの半円弧を重ねてリング状としているものである。図７に示すように第二例も第一例と同様に摘み１７を摘み持って摘み上げるようにすることで天面板１１を摘み１７と共にタンパーエビデンスベルト１０から分離して注出筒６の上面開口側から外すことができ、また、タンパーエビデンスベルト１０は環状の形態のままで注出筒６の外周まわりに残すことができる。
【００６３】
（第三例）
図８から図１０は摘み１７の形状が異なる第三例を示している。第三例の摘み１７にあっては、摘み片部２５を、下垂片部２４の外面での両側部に連続して下方に下垂する略Ｕ字状の形態としたものである。そして図１０に示すように、摘み１７を摘み持って摘み上げるようにすることで天面板１１を摘み１７と共にタンパーエビデンスベルト１０から分離して注出筒６の上面開口側から外すことができ、また、タンパーエビデンスベルト１０はＵ字状の摘み対応部２６が表れた環状の形態のままで注出筒６の外周まわりに残ることができるようしたものである。
【００６４】
（第四例）
図１１から図１３は摘み１７の形状が異なる第四例を示している。第四例の摘み１７にあっては、摘み片部２５を、下垂片部２４の外面から半円弧状で外方に張り出る形態としたものである。そして図１３に示すように、摘み１７を摘み持って摘み上げるようにすることで天面板１１を摘み１７と共にタンパーエビデンスベルト１０から分離して注出筒６の上面開口側から外すことができ、タンパーエビデンスベルト１０は、下垂片部２４の外周形状を象るように略Ｕ字状の摘み対応部２６が表れた環状の形態のままで注出筒６の外周まわりに残ることができるようしたものである。
【００６５】
第二例から第四例においても摘み１７の形状が第一例と異なるだけである。そのため、第二例から第四例のものにあっても、第一例と同じく受け容器の注出口に、逆さまにした詰め替え用容器１のスパウト３を挿入したときには、外径がネックリング５の外径と同じ環状のタンパーエビデンスベルト１０が注出筒６の外周まわりにあって注出筒６から脱落することもない。そのため、タンパーエビデンスベルト１０が受け容器の注出口の内面に当接すれば、スパウト３が傾いたり詰め替え用容器１が逆さまの状態から倒れたりすることを簡単に防止でき、逆さまにした詰め替え用容器１の姿勢を安定させる点も、第一例と同様である。
【００６６】
（変形例）
また上記各例において摘み１７を天面板１１の円板状の部分（本体部分）に連続する下垂片部２４と摘み片部２５とからなるものとしているが、図１４に示すように天面板１１の外周辺１８の一部を縦断面略Ｌ字状に張り出させて下垂させるようにすることで摘み１７を形成することも可能である。
【００６７】
この例においては天面板１１の外周辺１８に沿うようにして環状の薄肉部２１を形成して、この環状の薄肉部２１を介して天面板１１とタンパーエビデンスベルト１０とを連接させている。そして摘み１７の基端部分に通るようにして位置する薄肉部２１を成形するために、タンパーエビデンスベルト１０から離れた位置で下垂する摘み１７に対応するタンパーエビデンスベルト１０での対応部分については薄板状に成形されているものとしている。
【符号の説明】
【００６８】
１…詰め替え用容器
２…容器本体
３…スパウト
４…キャップ
５…ネックリング
６…注出筒
９…係合突条
１０…タンパーエビデンスベルト
１０ａ…円環部
１１…天面板
１２…係止爪
１５…隙間
１７…摘み
１８…外周辺
２１…薄肉部
２２…薄肉部破断辺
２３…薄肉部破断辺
２４…下垂片部
２５…摘み片部
２６…摘み対応部
２７…下垂片部の外側辺
２８…摘み対応部の外側辺
Ａ…受け容器
Ｂ…受け容器の注出口
【図１】
2018111500.tif 000003
【図２】
2018111500.tif 000004
【図３】
2018111500.tif 000005
【図４】
2018111500.tif 000006
【図５】
2018111500.tif 000007
【図６】
2018111500.tif 000008
【図７】
2018111500.tif 000009
【図８】
2018111500.tif 000010
【図９】
2018111500.tif 000011
【図１０】
2018111500.tif 000012
【図１１】
2018111500.tif 000013
【図１２】
2018111500.tif 000014
【図１３】
2018111500.tif 000015
【図１４】
2018111500.tif 000016
【図１５】
2018111500.tif 000017
【図１６】
2018111500.tif 000018